(57)【要約】【課題】現場で取り外して交換することができるデバイダを備えた端子台アセンブリを提供する。【解決手段】端子台アセンブリは、一以上の取り外し可能なデバイダを備える。デバイダは、一以上の台における溝の中に挿入可能なほぞを含む。デバイダは、溝の開放端に設置されたクリップなどの締結部材によって保持できる。【選択図】図１Ａ
2015130336.tif 000002
【特許請求の範囲】
【請求項１】
電気的絶縁材料から形成されており、一以上の端子コネクタが設けられた一以上の台を備えており、各台が端部に沿って形成された少なくとも一つの溝を有し、前記溝が、二つ以上の台が結合されたときに摺動蟻継ぎ接合部の受け口を形成するように構成された、端子台アセンブリ。
【請求項２】
前記一以上の台の各々が、少なくとも二つの溝をそれぞれ有し、これらの溝が表面の両端部に形成された、請求項１に記載の端子台アセンブリ。
【請求項３】
二つ以上の台が直列に配置されており、少なくとも一つの溝が、前記二つ以上の台の間の隣接端部において一以上の前記台の表面に設けられた、請求項１に記載の端子台アセンブリ。
【請求項４】
ほぞを有する一以上の電気的絶縁デバイダをさらに備えており、前記ほぞが、前記少なくとも一つの溝の中に挿入されるように構成された、請求項１に記載の端子台アセンブリ。
【請求項５】
前記ほぞが第一の幅および第二の幅を有し、前記第一の幅が、前記第二の幅よりも前記デバイダのパネルに近い位置において測定された幅である、請求項４に記載の端子台アセンブリ。
【請求項６】
前記ほぞがくさび形を形成する、請求項４に記載の端子台アセンブリ。
【請求項７】
前記一以上のほぞが前記一以上の溝に受け入れられたときに、前記一以上の台を互いに連結するように構成された一以上の締結部材であって、前記一以上の締結部材が前記一以上の台に連結されているときに、前記一以上のほぞが前記対応する一以上の溝から取り外されることを防ぐように構成された一以上の締結部材をさらに備えた、請求項４に記載の端子台アセンブリ。
【請求項８】
前記一以上の台に形成された一以上のくぼみをさらに備えており、前記締結部材の各々が、前記一以上のくぼみの中に挿入される一以上の突起を有する、請求項７に記載の端子台アセンブリ。
【請求項９】
電気的絶縁基部と、
前記電気的絶縁基部に設けられた複数個の端子コネクタと、
前記電気的絶縁基部の表面に設けられた一以上の溝であって、各溝が、開放端を有し、前記複数個の端子コネクタのうちの二つ以上の間に配置されており、前記溝の第二の幅よりも短い第一の幅を有し、前記第一の幅が、前記第二の幅よりも前記基部の前記表面に近い位置において測定された、溝と
を備えた、端子台アセンブリ。
【請求項１０】
前記電気的絶縁基部が複数個の台から形成されており、各台が、前記複数個の端子コネクタのうちの一以上を有する、請求項９に記載の端子台アセンブリ。
【請求項１１】
一以上の電気的絶縁デバイダをさらに備えており、各デバイダがほぞをそれぞれ有し、各溝が、前記一以上のデバイダの前記ほぞを受け入れるように形成された、請求項９に記載の端子台アセンブリ。
【請求項１２】
前記一以上のほぞおよび前記一以上の溝が、一以上の摺動蟻継ぎ接合部を形成する、請求項１１に記載の端子台アセンブリ。
【請求項１３】
前記一以上のほぞが前記一以上の溝に受け入れられたときに、前記電気的絶縁基部に連結されるように構成された一以上の締結部材であって、前記一以上の締結部材が前記電気的絶縁基部に連結されているときに、前記一以上のほぞが前記対応する一以上の溝から取り外されることを防ぐ一以上の締結部材をさらに備えた、請求項１１に記載の端子台アセンブリ。
【請求項１４】
前記一以上の溝の前記一以上の開放端の各々に近い前記電気的絶縁基部に形成された一以上のくぼみをさらに備えており、前記締結部材の各々が、前記一以上のくぼみの中に挿入される一以上の突起を有する、請求項１３に記載の端子台アセンブリ。
【発明の詳細な説明】
【技術分野】
【０００１】
本開示は、一般的に端子台デバイダに関する。より詳細には、例えば、航空機に含まれる高出力電気系統用の端子台デバイダに関する。
【背景技術】
【０００２】
今日では、環境および用途に応じて用いられる種々の電力端子アセンブリが存在する。いくつかの高出力用途では、分配用の電力端子アセンブリ内において複数の組の配線が結合される。この用途の例は、航空機用電気および電力系統または高出力が要求される機器が利用される製造現場などのさまざまな環境において見ることができる。
【０００３】
端子台に接続された導電部材（例えば、配線）同士を分離するために、高出力電気系統における端子台は、多くの場合に、導電部材または導電部材群間に配列されたデバイダを備えて構成される。これらのデバイダは、一般的安全性をもたらし、導電部材間のアーク放電の危険性を減少する。いくつかの場合では、電気配線を分離および固定するために、大きなトルク力が必要となる。この力がデバイダを損傷することがあり、そうでなくても端子台へのアクセスを遮ることがある。
【発明の概要】
【課題を解決するための手段】
【０００４】
本明細書に開示する端子台アセンブリは、電気的絶縁材料から形成された一以上の台を含む。一以上の端子コネクタが、台に配列される。各台は、その表面に少なくとも一つの溝を含む。この溝は、摺動蟻継ぎ接合部の受け口を少なくとも部分的に形成する。
【０００５】
本開示の別の態様は、電気的絶縁基部を有する端子台アセンブリを提供する。複数個の端子コネクタが、電気的絶縁基部に配列される。一以上の溝が、複数個の端子コネクタのうちの二つ以上の間において電気的絶縁基部に配置される。各溝は開放端を有する。溝は、溝の幅である第二の寸法よりも大きい、溝の幅である第一の寸法を有する輪郭を持つように形状づけられる。第一の寸法は、第二の寸法と比較して基部の表面により近い位置において測定される。
【０００６】
以下の説明は、決して限定的に解釈すべきではない。添付図面に関して、同様の要素には同様の番号が付けられる。
【図面の簡単な説明】
【０００７】
【図１Ａ】一実施形態による端子台アセンブリの正面図である。
【図１Ｂ】一実施形態による端子台アセンブリの平面図である。
【図２】一実施形態による端子台アセンブリの基部の側面図である。
【図３】一実施形態による端子台アセンブリの単一台の側面図である。
【図４Ａ】一実施形態によるデバイダの正面図である。
【図４Ｂ】一実施形態によるデバイダの平面図である。
【図５Ａ】一実施形態による締結部材の正面図である。
【図５Ｂ】一実施形態による締結部材の平面図である。
【発明を実施するための形態】
【０００８】
開示した装置および方法の一以上の実施形態の詳細な説明を、図面を参照して例示かつ限定されないものとして本明細書に提示する。本開示の範囲から逸することなく、他の実施形態を利用でき、かつ変更を為せることが理解されよう。特に、本開示は、例えば、航空機に限定されない乗物用の高出力端子台に関連するさまざまな例を提供する。その一方で、関連分野に応用される本開示の利点が、当業者に明らかとなり、本発明の範囲内にあるとみなされるであろう。
【０００９】
図１Ａおよび図１Ｂは、本開示の一実施形態による端子台アセンブリ１００を図示する。端子台アセンブリ１００は、一以上の台１１０から成る基部１０５を含む。図示するように、各台１１０は、一以上の端子コネクタ１１５を含む。一以上の溝１２０が、基部１０５の表面１２５に配列される。溝１２０は、例えば、基部１０５の側面に開放端１３０を有して形成される。図１Ｂを参照するように、端子台アセンブリ１００は、一以上のデバイダ１３５をさらに備える。各デバイダは、溝１２０の一つに配列されたほぞ１４０を有する。端子台アセンブリ１００には、一以上の締結部材１４５も含まれる。
【００１０】
本明細書に記述する端子台アセンブリ１００は、現場でデバイダ１３５を取り外して交換する能力を提供する。いくつかの実施形態によれば、デバイダ１３５は、ツールを使用せずに取り外して交換できる。これは、例えば、端子台アセンブリ１００の保守または検査を実行するときに有用である。そのような状況でのデバイダ１３５の取り外しによって、保守期間中のデバイダの損傷を未然に防ぐことができる。損傷したデバイダ１３５の取り外しによってさらに、他のデバイダ１３５および電気系統の損傷を防ぐことができる。
【００１１】
図２は、端子台アセンブリ１００の基部１０５および関連する特徴を図示する。前述したように、端子台アセンブリ１００の基部１０５は、当技術分野において公知のように電気的絶縁材料から成る。図１Ａおよび図１Ｂに図示するように、基部１０５は、一以上の台１１０から成ることができる。台１１０は、示すように直列に配置できる。または、特定の用途に応じた任意の他の有利な配置も可能である。複数個の端子コネクタ１１５が、基部に配列され、関連する電気系統に電力および／または信号を分配する。基部１０５は、台１１０を配置し、かつ／または例えば、さまざまな端子コネクタ１１５間の接続部品を含む他の電気部品を収容するための連結構造体（図示せず）をさらに備えることができる。
【００１２】
デバイダ１３５を受け入れるための多くの溝１２０が基部１０５に配列される。図１Ｂに示すように、溝は、デバイダ１３５のほぞ１４０を挿入できる開放端１３０を有して配置できる。あるいは、基部１０５は、溝１２０の両端を開放して構成できる。例えば、デバイダ１３５は、本明細書に記述する連結構造体などの別の構造体、追加の締結部材１４５、またはいくつかの他の構成によって溝内に保持できる。
【００１３】
図３は、一実施形態による台１１０の図示である。端子コネクタ１１５が、台１１０に配列される。台１１０における端子コネクタ１１５の構成および配置は、当技術分野において公知のように、特定の用途に従い異ならせることができる。図示する実施形態では、台１１０は、二つの隣接端部１５０を備えて構成される。この各々は、そこに形成された部分的な溝１５５を備える。他の台と組み立てられると、部分的な溝１５５は、上述した溝１２０を形成する。説明した部分的な溝１５５は、一方の隣接端部１５０に対して対称となる。あるいは、部分的な溝１５５は、非対称に形成してもよい。すなわち、部分的な溝１５５が一方の隣接端部１５０においてくぼみとして形成され、かつ部分的な溝１５５がない隣接端部１５０の向かい側にその部分的な溝１５５を配置することによって溝１２０を形成する構成を含んでもよい。
【００１４】
図４Ａおよび図４Ｂに示すように、デバイダ１３５は、当技術分野において公知のように、概して平面パネルから成り、電気的絶縁材料から形成される。本開示のデバイダ１３５は、ほぞ１４０を備えて形成され、これは例えば、デバイダ１３５の一つの延長部に位置付けることができる。ほぞ１４０は、開放端１３０から見たときに溝１２０の輪郭に近似する形状に形成される。ほぞ１４０および溝１２０は、例えば、摺動蟻継ぎ接合部を備えることができる。溝１２０は、受け口またはほぞ穴を形成する。本明細書に記述する「蟻継ぎ」および「蟻継ぎ接合部」という用語は、ほぞ１４０を溝１２０の方向に沿って溝の中に摺動可能にし、一方で、挿入方向に対して直角の方向などの別の方向における運動を制限するような形状の全ての組み合わせを包含する。それ故に、ほぞ１４０は、示すようにくさび形を有するように提供できる。
【００１５】
あるいは、ほぞ１４０および対応する溝１２０の形状は、第二の寸法Ｂよりも短い第一の寸法Ａを有すると説明することができる。図４Ａに示すように、ほぞ１４０についての第一の寸法Ａは、第二の寸法Ｂの位置と比較してデバイダ１３５のパネルにより近い位置において測定される。同様に、溝１２０についての第一の寸法Ａは、第二の寸法Ｂと比較して表面１２５により近い位置において測定される。
【００１６】
再び図１Ａおよび図１Ｂを参照すると、本開示のデバイダ１３５は、締結部材１４５によって溝１２０内に保持される。締結部材１４５は、溝内にデバイダ１３５を固定できる任意の装置または締め具を備えることができる。これは、例えば、当業者に明らかであり得るような、ねじ部品、締め金、クリップ、留め金および他の装置を含む。あるいは、デバイダ１３５は、締結部材１４５を使用せずに、締まりばめまたは他の幾何学的機構によって溝１２０内に固定できる。
【００１７】
図１Ｂに図示した実施形態では、締結部材１４５は、溝１２０の開放端１３０に近い基部１０５に連結できるクリップである。図１Ａ、図１Ｂ、図５Ａおよび図５Ｂに示すように、締結部材１４５は、一以上の突起１６０を有して形成できる。突起１６０は、基部１０５における（図１に示すような）対応するくぼみ１６５の中に挿入できる。図２に図示するような実施形態のくぼみ１６５は、開放端１３０において溝１２０の両側に形成される。デバイダ１３５が溝１２０の中に挿入された状態では、締結部材１４５の設置によって、締結部材１４５を最初に取り外すことなくデバイダ１３５が取り外されることが防がれる。突起１６０およびくぼみ１６５の形状は、締め金または類似の締め具と同様に、締まりばめを有して形成できる。さらに、突起１６０は、固定されるが、締結部材１４５に直接加えられる最小限の力によって外すことができる締結部材１４５を形成するように鋸歯形状に形成可能である。
【００１８】
本発明を例示的な実施形態または複数の実施形態を参照して記述したが、本発明の範囲から逸することなく、さまざまな変更を為すことができ、かつその構成要素を均等物で置換できることが当業者に理解される。さらに、その本質的な範囲から逸することなく、本発明の教示に特定の状況または材料を適応させるように多くの変更を為すことができる。また、図面および記述において、本発明の例示的な実施形態を開示し、具体的な用語を使用したが、特に指定のない限り、これらは一般的かつ説明的な意味のみにおいて使用され、限定することは意図しない。従って、本発明の範囲はそのようには限定されない。加えて、第一の、第二のなどの用語の使用は、何らかの順位または重要性は意味せず、むしろ、第一の、第二のなどの用語は、ある要素を別の要素と区別するために使用される。さらに、一などの用語の使用は、数量の限定は意味せず、むしろ、参照する項目の少なくとも一つの存在を意味する。
【図１Ａ】
2015130336.tif 000003
【図１Ｂ】
2015130336.tif 000004
【図２】
2015130336.tif 000005
【図３】
2015130336.tif 000006
【図４Ａ】
2015130336.tif 000007
【図４Ｂ】
2015130336.tif 000008
【図５Ａ】
2015130336.tif 000009
【図５Ｂ】
2015130336.tif 000010